【手続補正書】
【提出日】平成17年3月28日(2005.3.28)
【手続補正１】
【補正対象書類名】明細書
【補正対象項目名】発明の名称
【補正方法】変更
【補正の内容】
【発明の名称】印刷受注システム、印刷管理装置、その制御方法、及びプログラム
【手続補正２】
【補正対象書類名】明細書
【補正対象項目名】特許請求の範囲
【補正方法】変更
【補正の内容】
【特許請求の範囲】
【請求項１】
ネットワークを介してクライアント装置からの印刷注文情報を受信する中央管理装置と、前記印刷注文情報に基づき印刷装置に対して印刷処理を実行させる印刷管理装置とを含む印刷受注システムであって、
前記中央管理装置は、
複数の印刷管理装置の中から１つを選択する選択手段と、
前記選択手段により選択された印刷管理装置へ前記クライアント装置からの印刷注文情報を転送する転送手段を有し、
前記印刷管理装置は、
前記転送手段により転送された印刷注文情報を受信する受信手段と、
前記受信手段により受信された印刷注文情報を格納する格納手段と、
印刷装置によって前記受信手段により受信された印刷注文情報に基づく印刷が可能であるか否かを判定した結果及び理由を入力する判定入力手段と、
前記判定入力手段により入力された判定の理由から判定理由情報を作成する作成手段と、
前記判定入力手段により入力された判定の結果に応じて、前記作成手段により作成された判定理由情報を前記中央管理装置に対して通知する通知手段と、
前記判定入力手段により入力された判定の結果に応じて、前記格納手段に格納された印刷注文情報を削除する削除手段とを備えることを特徴とする印刷受注システム。
【請求項２】
前記判定入力手段により入力される判定の理由は、前記印刷注文情報で指示された印刷部数に関することを特徴とする請求項１に記載の印刷受注システム。
【請求項３】
前記印刷注文情報に基づく印刷を印刷装置に対して実行させる仮印刷処理手段を更に備え、
前記判定入力手段により入力される判定の理由は、前記仮印刷処理手段による印刷結果に関することを特徴とする請求項１に記載の印刷受注システム。
【請求項４】
前記中央管理装置は、前記ネットワークを介して前記クライアント装置へ前記通知手段により通知された判定理由情報を送信する送信手段を更に備えることを特徴とする請求項１に記載の印刷受注システム。
【請求項５】
前記送信手段は、前記判定理由情報を電子メールとして送信することを特徴とする請求項４に記載の印刷受注システム。
【請求項６】
前記印刷管理装置は、前記受信手段により受信された印刷注文情報を他の印刷管理装置へ転送するための指示を入力する転送指示入力手段を備えることを特徴とする請求項１に記載の印刷受注システム。
【請求項７】
前記選択手段は、前記印刷管理装置により管理される印刷装置の空き状況に基づき、前記選択を行うことを特徴とする請求項１に記載の印刷受注システム。
【請求項８】
ネットワークを介してクライアント装置からの印刷注文情報を中央管理装置経由で受信し、前記印刷注文情報に基づき印刷装置に対して印刷処理を実行させる印刷管理装置であって、
前記中央管理装置から受信された印刷注文情報を格納する格納手段と、
印刷装置によって前記受信された印刷注文情報に基づく印刷が可能であるか否かを判定した結果及び理由を入力する判定入力手段と、
前記判定入力手段により入力された判定の理由から判定理由情報を作成する作成手段と、
前記判定入力手段により入力された判定の結果に応じて、前記作成手段により作成された判定理由情報を前記中央管理装置に対して通知する通知手段と、
前記判定入力手段により入力された判定の結果に応じて、前記格納手段に格納された印刷注文情報を削除する削除手段とを備えることを特徴とする印刷管理装置。
【請求項９】
前記判定入力手段により入力される判定の理由は、前記印刷注文情報で指示された印刷部数に関することを特徴とする請求項８に記載の印刷管理装置。
【請求項１０】
前記印刷注文情報に基づく印刷を印刷装置に対して実行させる仮印刷処理手段を更に備え、
前記判定入力手段により入力される判定の理由は、前記仮印刷処理手段による印刷結果に関することを特徴とする請求項８に記載の印刷管理装置。
【請求項１１】
前記受信手段により受信された印刷注文情報を他の印刷管理装置へ転送するための指示を入力する転送指示入力手段を更に備えることを特徴とする請求項８に記載の印刷管理装置。
【請求項１２】
ネットワークを介してクライアント装置からの印刷注文情報を中央管理装置経由で受信し、前記印刷注文情報に基づき印刷装置に対して印刷処理を実行させる印刷管理装置の制御方法であって、
前記中央管理装置から受信された印刷注文情報を格納するステップと、
印刷装置によって前記受信された印刷注文情報に基づく印刷が可能であるか否かを判定した結果及び理由を入力するステップと、
前記入力された判定の理由から判定理由情報を作成するステップと、
前記入力された判定の結果に応じて、前記作成された判定理由情報を前記中央管理装置に対して通知するステップと、
前記入力された判定の結果に応じて、前記格納された印刷注文情報を削除するステップとを有することを特徴とする制御方法。
【請求項１３】
前記入力される判定の理由は、前記印刷注文情報で指示された印刷部数に関することを特徴とする請求項１２に記載の制御方法。
【請求項１４】
前記印刷注文情報に基づく印刷を印刷装置に対して実行させるステップを更に有し、
前記入力される判定の理由は、前記印刷結果に関することを特徴とする請求項１２に記載の制御方法。
【請求項１５】
前記受信された印刷注文情報を他の印刷管理装置へ転送するための指示を入力するステップを更に有することを特徴とする請求項１２に記載の制御方法。
【請求項１６】
コンピュータ装置に対して、
ネットワークを介してクライアント装置からの印刷注文情報を中央管理装置経由で受信するステップと、
前記受信された印刷注文情報に基づき印刷装置に対して印刷処理を実行させるステップと、
前記中央管理装置から受信された印刷注文情報を格納するステップと、
前記受信された印刷注文情報を格納するステップと、
印刷装置によって前記受信された印刷注文情報に基づく印刷が可能であるか否かを判定した結果及び理由を入力するステップと、
前記入力された判定の理由から判定理由情報を作成するステップと、
前記入力された判定の結果に応じて、前記作成された判定理由情報を前記中央管理装置に対して通知するステップと、
前記入力された判定の結果に応じて、前記格納された印刷注文情報を削除するステップとを実行させるためのプログラム。
【手続補正３】
【補正対象書類名】明細書
【補正対象項目名】０００１
【補正方法】変更
【補正の内容】
【０００１】
【発明の属する技術分野】
本発明は、ネットワークを介してクライアントから中央管理装置に発注された印刷注文を複数の印刷管理装置の１つが受注し、印刷装置に印刷処理させる印刷受注システム、印刷管理装置、その制御方法、プログラムに関する。
【手続補正４】
【補正対象書類名】明細書
【補正対象項目名】０００７
【補正方法】変更
【補正の内容】
【０００７】
本発明は、上記課題を解決するためになされたもので、中央管理装置から印刷注文を受け付けた後、当該印刷注文の内容に基づき、受注を取り消すか否かを判定でき、中央管理装置へ判定結果を速やかに通知することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明は、ネットワークを介してクライアント装置からの印刷注文情報を受信する中央管理装置と、前記印刷注文情報に基づき印刷装置に対して印刷処理を実行させる印刷管理装置とを含む印刷受注システムであって、
前記中央管理装置は、複数の印刷管理装置の中から１つを選択する選択手段と、前記選択手段により選択された印刷管理装置へ前記クライアント装置からの印刷注文情報を転送する転送手段を有し、前記印刷管理装置は、前記転送手段により転送された印刷注文情報を受信する受信手段と、前記受信手段により受信された印刷注文情報を格納する格納手段と、印刷装置によって前記受信手段により受信された印刷注文情報に基づく印刷が可能であるか否かを判定した結果及び理由を入力する判定入力手段と、前記判定入力手段により入力された判定の理由から判定理由情報を作成する作成手段と、前記判定入力手段により入力された判定の結果に応じて、前記作成手段により作成された判定理由情報を前記中央管理装置に対して通知する通知手段と、前記判定入力手段により入力された判定の結果に応じて、前記格納手段に格納された印刷注文情報を削除する削除手段とを備えることを特徴とする。
【手続補正６】
【補正対象書類名】明細書
【補正対象項目名】０００９
【補正方法】変更
【補正の内容】
【０００９】
また、上記目的を達成するために、本発明は、ネットワークを介してクライアント装置からの印刷注文情報を中央管理装置経由で受信し、前記印刷注文情報に基づき印刷装置に対して印刷処理を実行させる印刷管理装置であって、前記中央管理装置から受信された印刷注文情報を格納する格納手段と、印刷装置によって前記受信された印刷注文情報に基づく印刷が可能であるか否かを判定した結果及び理由を入力する判定入力手段と、前記判定入力手段により入力された判定の理由から判定理由情報を作成する作成手段と、前記判定入力手段により入力された判定の結果に応じて、前記作成手段により作成された判定理由情報を前記中央管理装置に対して通知する通知手段と、前記判定入力手段により入力された判定の結果に応じて、前記格納手段に格納された印刷注文情報を削除する削除手段とを備えることを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
また、本発明は、ネットワークを介してクライアント装置からの印刷注文情報を中央管理装置経由で受信し、前記印刷注文情報に基づき印刷装置に対して印刷処理を実行させる印刷管理装置の制御方法であって、前記中央管理装置から受信された印刷注文情報を格納するステップと、印刷装置によって前記受信された印刷注文情報に基づく印刷が可能であるか否かを判定した結果及び理由を入力するステップと、前記入力された判定の理由から判定理由情報を作成するステップと、前記入力された判定の結果に応じて、前記作成された判定理由情報を前記中央管理装置に対して通知するステップと、前記入力された判定の結果に応じて、前記格納された印刷注文情報を削除するステップとを有することを特徴とする。
【手続補正９】
【補正対象書類名】明細書
【補正対象項目名】０１２０
【補正方法】変更
【補正の内容】
【０１２０】
次に、オペレータは、ステップＳ１１２で印刷した印刷出力結果物を、郵送や宅配又は直接手渡しなど印刷注文を出したユーザが選択した方法に従ってユーザに届ける行動をとる（ステップＳ１１５）。次に、印刷注文情報管理手段５０３がＣＲＴ４０６上に表示している画面において、オペレータが該当する印刷注文データを選択し「お渡し済」ボタンを押下することにより、該当印刷注文データのオーダーステータスを「お渡し済」に設定し、印刷注文情報管理手段５０３がステータス登録手段２０５を起動し、処理ステータス登録処理部１９０８に処理ステータスを通知する（ステップＳ１１６）。次に、印刷注文情報管理手段５０３からの通知を受けた処理ステータス登録処理部１９０８は、中央管理装置１０２の処理ステータス管理手段１８０２の処理ステータス被通知処理部１８０９に対して該当印刷注文データの処理ステータスを通知することにより印刷注文データを受注する際の一連の処理は終了する（ステップＳ１１７）。